(57)【要約】【課題】ＡＧＣ制御をかけたときに同調周波数がずれるのを防止する。【解決手段】受信信号レベルが大きくなり、差動増幅器２４の出力信号レベルが一定値を超えると、ＡＧＣ回路２６から出力されるＡＧＣ制御電流が増加して、ダイオードＤ２、Ｄ１のインピーダンスが小さくなる。このとき、キャパシタＣ１２の容量を小さくしてあるので、減衰回路２２と同調回路２３のインピーダンス分離を実現でき、同調周波数がずれるのを防止できる。【選択図】      図１
2008236419.tif 000002
【特許請求の範囲】
【請求項１】
アンテナと、
前記アンテナと接地との間に接続されたインダクタと、
前記アンテナと一端が接続された第１のキャパシタと、
前記第１のキャパシタの他端にアノードが接続され、カソードが接地された第１のダイオードと、前記第１のダイオードのアノードにカソードが接続された第２のダイオードとを有し、半導体集積回路に内蔵されるＡＧＣ回路から前記第１及び第２のダイオードのインピーダンスを変化させる電流が供給される減衰回路と、
受信信号の同調を取る同調回路と、
前記第１のキャパシタの前記他端と一端が接続され、他端が前記同調回路の入力側に接続され、受信信号の周波数帯域において、前記減衰回路と前記同調回路をインピーダンス分離できる値に設定された第２のキャパシタとを備えるフロント同調回路。
【請求項２】
アンテナと、
前記アンテナと接地との間に接続されたインダクタと、
前記アンテナと一端が接続された第１のキャパシタと、
前記第１のキャパシタの他端にアノードが接続され、カソードが接地された第１のダイオードと、前記第１のダイオードのアノードにカソードが接続された第２のダイオードとを有する減衰回路と、
受信信号の同調を取る同調回路と、
前記第１のキャパシタの前記他端と一端が接続され、他端が前記同調回路の入力側に接続され、受信信号の周波数帯域において、前記減衰回路と前記同調回路をインピーダンス分離できる値に設定された第２のキャパシタと、
半導体集積回路に内蔵され、前記減衰回路の前記第２のダイオードのアノードに供給する電流を制御して前記減衰回路のインピーダンスを変化させるＡＧＣ回路とを備えるフロント同調回路。
【請求項３】
前記半導体集積回路はＭＯＳトランジスタで構成され、前記同調回路の同調信号を増幅する差動増幅器を前記半導体集積回路に内蔵し、前記ＡＧＣ回路は、前記差動増幅器の出力信号レベルが一定になるように前記減衰回路のインピーダンスを制御する請求項２記載のフロント同調回路。
【発明の詳細な説明】
【技術分野】
【０００１】
本発明は、無線受信機のフロント同調回路に関する。
【背景技術】
【０００２】
図４は、従来のラジオ受信機のフロント同調回路１０の回路図である。このフロント同調回路１０は、アンテナ１１に直列にキャパシタＣ１とインダクタＬ１とキャパシタＣ２が接続され、キャパシタＣ２の他端にキャパシタＣ３が接続されている。そして、キャパシタＣ３の他端に同調コイルＴ１が接続されている。
【０００３】
同調コイルＴ１の二次側の両端には、可変容量ダイオードＤ３、Ｄ４が直列に接続され、可変容量ダイオードＤ３、Ｄ４のカソード側に受信局を選択するための制御電圧ＶＴが与えられている。
【０００４】
キャパシタＣ２とキャパシタＣ３の接続点ａには、ＰＩＮダイオードＤ１、Ｄ２と抵抗Ｒ１とキャパシタＣ４からなる減衰回路が接続されている。ＰＩＮダイオードＤ１のアノードは接続点ａに接続され、ダイオードＤ１のカソードは接地されている。ＰＩＮダイオードＤ２のカソードは接続点ａに接続され、アノードは抵抗Ｒ１とキャパシタＣ４の一端と接続されている。キャパシタＣ４の他端は接地されている。抵抗Ｒ１の他端には、ＡＧＣ制御電流ＦＭＡＧＣが供給される。
【０００５】
上記の回路では、受信信号レベルを抑制する必要のないときにはＡＧＣ制御電流はほぼゼロになっている。受信信号レベルを抑制する必要があるときには、ダイオードＤ２のアノードに正のＡＧＣ制御電流が供給され、ダイオードＤ２、Ｄ１のインピーダンスが小さくなる。接続点ａから見たダイオードＤ２、Ｄ１のインピーダンスが小さくなると、接続点ａの受信信号レベルが抑制される。
【０００６】
上記のＬ、Ｃ直列共振型のフロント同調回路１０をＦＭ信号の同調回路として使用する場合には、キャパシタＣ２、Ｃ３の容量として０．１μＦ程度の値が使用されている。
しかしながら、上記の従来のフロント同調回路１０では、キャパシタＣ３の容量が約０．１μＦ程度と大きく、受信信号の周波数帯でのインピーダンスが小さいために、減衰回路のインピーダンスの変化が同調回路に影響してしまう。つまり、同調回路で同調が取れた状態のときに、受信信号レベルを抑制するためにＡＧＣ制御電流が減衰回路に供給されると、ダイオードＤ２、Ｄ１のインピーダンスが小さくなり、それにより同調回路の同調周波数がずれてしまうという問題点があった。
【０００７】
特許文献１には、直列接続した２個の同調コイルの一端をフィルタに接続し、他端をアースし、同調コイルの接続点を高周波増幅回路に接続した入力同調回路が示されている。
特許文献２には、アンテナに接続されたキャパシタの入力と接地との間に接続された第１のインダクタと、キャパシタの出力と接地との間に接続された第２のインダクタと有し、ＶＨＦ帯とＵＨＦ帯の信号を受信するときに、第１及び第２のインダクタの値を切り換えることのできる整合器が開示されている。
【０００８】
特許文献３には、直列に接続された２個のインダクタと、インダクタの接続点と接地との間に接続されたキャパシタからなるローパスフィルタ回路と、直列に接続された２個のキャパシタと、キャパシタの接続点と接地との間に接続されたインダクタとからなるハイパスフィルタ回路を切り換えてＶＨＦ帯域とＵＨＦ帯域のテレビジョン信号を取り出すテレビジョンチューナについて開示されている。
【０００９】
特許文献４には、ラジオ受信機において、狹帯域ＡＧＣ信号と広帯域ＡＧＣ信号を加算した信号と基準信号を比較し、比較結果に基づいてアンテナ減衰回路の減衰量を制御することが開示されている。
【００１０】
特許文献５には、２個の減衰回路をアンテナに直列に接続し、それぞれの減衰回路の減衰量を高周波増幅部の出力に基づいて制御することが開示されている。
上記の特許文献１〜５には、ＡＧＣ制御をかけて減衰回路のインピーダンスを変化させたときの同調周波数のずれを少なくするという課題及びその課題を解決する手段を示唆するような記載は無い。
【特許文献１】特開平４−１９６９２５号公報公報
【特許文献２】特開２００４−１７２９５８号公報
【特許文献３】特開昭６１−２４３３号公報
【特許文献４】特開平５ー２０６８８５号公報
【特許文献５】特開平９−４６１５３号公報
【発明の開示】
【発明が解決しようとする課題】
【００１１】
本発明の課題は、ＡＧＣ動作により受信信号が減衰する構成において、ＡＧＣ動作時でも同調周波数がずれる等の影響を受けないフロント同調回路を提供する。
【課題を解決するための手段】
【００１２】
本発明のフロント同調回路は、アンテナと、前記アンテナと接地との間に接続されたインダクタと、前記アンテナと一端が接続された第１のキャパシタと、前記第１のキャパシタの他端にアノードが接続され、カソードが接地された第１のダイオードと、前記第１のダイオードのアノードにカソードが接続された第２のダイオードとを有し、半導体集積回路に内蔵されるＡＧＣ回路から前記第１及び第２のダイオードのインピーダンスを変化させる電流が供給される減衰回路と、受信信号の同調を取る同調回路と、前記第１のキャパシタの前記他端と一端が接続され、他端が前記同調回路の入力側に接続され、受信信号の周波数帯域において、前記減衰回路と前記同調回路のインピーダンス分離できる値に設定された第２のキャパシタとを備える。
【００１３】
この発明によれば、ＡＧＣ制御をかけて減衰回路のインピーダンスを変化させたときに同調周波数がずれるのを防止できる。
本発明の他の態様のフロント同調回路は、アンテナと、前記アンテナと接地との間に接続されたインダクタと、前記アンテナと一端が接続された第１のキャパシタと、前記第１のキャパシタの他端にアノードが接続され、カソードが接地された第１のダイオードと、前記第１のダイオードのアノードにカソードが接続された第２のダイオードとを有する減衰回路と、受信信号の同調を取る同調回路と、前記第１のキャパシタの前記他端と一端が接続され、他端が前記同調回路の入力側に接続され、受信信号の周波数帯域において、前記減衰回路と前記同調回路をインピーダンス分離できる値に設定された第２のキャパシタと、半導体集積回路に内蔵され、前記減衰回路の前記第２のダイオードのアノードに供給する電流を制御して前記減衰回路のインピーダンスを変化させるＡＧＣ回路とを備える。
【００１４】
この発明によれば、ＡＧＣ制御をかけて減衰回路のインピーダンスを変化させたときに同調周波数がずれるのを防止できる。
上記の発明のフロント同調回路において、前記半導体集積回路はＭＯＳトランジスタで構成され、前記同調回路の同調信号を増幅する差動増幅器を前記半導体集積回路に内蔵し、前記ＡＧＣ回路は、前記差動増幅器の出力信号レベルが一定になるように前記減衰回路のインピーダンスを制御する。
【００１５】
このように構成することで、差動増幅器の出力信号レベルが一定になるように減衰回路のインピーダンスを変化させたときに、同調周波数がずれるのを防止できる。
【発明の効果】
【００１６】
本発明によれば、ＡＧＣが動作し減衰回路のインピーダンスを変化させたときに同調周波数がずれる等の影響を防止できる。
【発明を実施するための最良の形態】
【００１７】
以下、本発明の実施の形態について図面を参照して説明する。図１は、実施の形態のＦＭラジオ受信機のフロント同調回路２１の回路図である。図１には、ラジオ用チューナＩＣの外部に設けるフロント同調回路２１と、ラジオ用チューナＩＣに内蔵される差動増幅器２４、ミキサー回路２５、ＡＧＣ回路２６も合わせて示してある。以下の説明では、図４の従来のフロント同調回路１０と同じ部品には同じ符号を付けて説明する。
【００１８】
図１において、アンテナ１１にインダクタＬ１１とキャパシタＣ１１が並列に接続されている。インダクタＬ１１の他端は接地され、キャパシタＣ１１の他端には、キャパシタＣ１２の一端が接続され、キャパシタＣ１２の他端は同調コイルＴ１の１次側に接続されている。この実施の形態においては、例えば、キャパシタＣ１１の容量は、０．１μＦ、キャパシタＣ１２の容量は、数十ｐＦ程度に設計されている。
【００１９】
キャパシタＣ１１とキャパシタＣ１２の接続点ａには、減衰回路２２が接続されている。減衰回路２２は、２個のダイオードＤ１、Ｄ２と抵抗Ｒ１とキャパシタＣ４とからなる。減衰回路２２のダイオードＤ１のアノードは、キャパシタＣ１１とキャパシタＣ１２の接続点ａに接続され、ダイオードＤ１のカソードは接地されている。また、ダイオードＤ２のカソードは接続点ａに接続され、アノードには抵抗Ｒ１を介してＡＧＣ回路２６の出力電流（ＡＧＣ制御電流）が供給される。ダイオードＤ２のアノードには、キャパシタＣ４が接続され、そのキャパシタＣ４の他端は接地されている。キャパシタＣ４は、雑音除去用のキャパシタである。
【００２０】
同調コイルＴ１の２次側の両端子間には、直列に接続された可変容量ダイオードＤ３、Ｄ４が並列に接続されている。可変容量ダイオードＤ３、Ｄ４の接続点には、受信局の周波数により決まる制御電圧がＩＣから与えられる。
【００２１】
同調コイルＴ１の２次側の端子には、キャパシタＣ５、Ｃ６が接続され、キャパシタＣ５、Ｃ６の他端は、ＩＣに内蔵される差動増幅器２４に接続されている。差動増幅器２４の出力は、ミキサー回路２５とＡＧＣ回路２６に出力されている。
【００２２】
ＡＧＣ回路２６は、差動増幅器２４の出力信号レベルが一定となるようなＡＧＣ制御電流を減衰回路２２に供給して減衰回路２２のインピーダンスを変化させる。減衰回路２２のインピーダンスが変化することで受信信号レベルが抑制される。
【００２３】
次に、以上のような構成のフロント同調回路２１の動作を説明する。差動増幅器２４の出力信号レベルが一定値以下のときには、ＡＧＣ回路２６から出力されるＡＧＣ制御電流はほぼ０となる。このとき、減衰回路２２のダイオードＤ１とダイオードＤ２はオフ状態となるので、接続点ａから見たダイオードＤ１、Ｄ２のインピーダンスが大きな値となり、受信信号は減衰せずに同調回路２３に出力される。
【００２４】
受信信号レベルが大きくなり、差動増幅器２４の出力信号レベルが一定値を超えると、出力信号レベルに応じてＡＧＣ回路２６から出力されるＡＧＣ制御電流が増加する。減衰回路２２のダイオードＤ２、Ｄ１に流れるＡＧＣ制御電流が増加すると、ダイオードＤ２、Ｄ１のインピーダンス（抵抗値）が小さくなる。このとき、ダイオードＤ２、Ｄ１の抵抗値は、ダイオードＤ２、Ｄ１がオフ状態のときの抵抗値に比べて非常に小さい値（例えば、数Ω）となる。
【００２５】
従って、図１のａ点から見た減衰回路２２の抵抗値は数Ω程度になり、抵抗値が小さくなることでａ点の信号レベルが小さくなる。これにより、同調回路２３の入力信号レベルが抑制され、差動増幅器２４の出力信号レベルが一定に保たれる。
【００２６】
実施の形態のフロント同調回路２１は、キャパシタＣ１２の容量を小さく（数十ｐＦ）してあるので、受信信号の周波数帯域において、キャパシタＣ１２のインピーダンスが非常に大きくなる。従って、キャパシタＣ１２により減衰回路２２と同調回路２３をインピーダンス分離することができる。これによりＡＧＣ制御をかけて減衰回路２２のインピーダンスを小さくした場合でも、同調回路２３から見た減衰回路２２のインピーダンスはほとんど変化しない。
【００２７】
このように減衰回路２２と同調回路２３を、小さな容量のキャパシタＣ１２でインピーダンス分離することで、入力信号レベルを抑制するためにＡＧＣ制御を行って減衰回路２２のインピーダンスを変化させても、その減衰回路２２のインピーダンスの変化が同調回路２３に影響しなくなる。よって、同調回路２３の同調周波数のずれが生じないことになる。また、図４の従来のフロント同調回路１０と図１の実施の形態のフロント同調回路２１を比較すると、従来のフロント同調回路１０の共振回路はキャパシタが３個使用されているのに対して、実施の形態のフロント同調回路２１は、キャパシタが２個で済むので容量の大きいキャパシタの数を減らすことができる。
【００２８】
図２（Ａ）、（Ｂ）は、従来のフロント同調回路１０と実施の形態のフロント同調回路２１の電圧利得を比較したグラフである。図２（Ａ）（Ｂ）の縦軸は、電圧利得［ｄＢ］、横軸は同調周波数に対する周波数変位Δｆ［ｋＨｚ］を示している。
【００２９】
図２（Ａ）、（Ｂ）の上側に示される利得特性（図２にひしがたの点で示す特性）は、ＡＧＣ制御がオフのときの電圧利得の変化を示し、下側に示される利得特性（図２に四角の点で示す特性）は、ＡＧＣ制御がオンのときの電圧利得の変化を示している。
【００３０】
従来のフロント同調回路１０は、図２（Ａ）に示すように、ＡＧＣ制御がオンの場合の電圧利得と、オフの場合の電圧利得の周波数特性が異なっている。これは、ＡＧＣ制御がオフのときの電圧利得とＡＧＣ制御がオンのときの電圧利得の差、つまりフロント同調回路１０の減衰量が周波数に依存することを示している。すなわち、従来のフロント同調回路１０は、ＡＧＣ制御をオンにしたときに減衰量が変化するので、同調回路の同調周波数がずれてしまう。
【００３１】
これに対して、実施の形態のフロント同調回路２１は、図２（Ｂ）に示すように、ＡＧＣ制御がオフのときとＡＧＣ制御がオンのときの電圧利得の周波数特性がほぼ一致しているので、ＡＧＣ制御がオフのときの電圧利得とＡＧＣがオンのときの電圧利得の差、つまり、減衰量が周波数に依存せずにほぼ一定となっている。
【００３２】
従って、フロント同調回路２１の減衰量が周波数によって変化しないので、ＡＧＣ制御をオンにしたときに同調回路２３の同調周波数のずれが生じない。
図３（Ａ）は、従来のフロント同調回路１０の受信局毎の電圧利得を示す図であり、図３（Ｂ）は、実施の形態のフロント同調回路２１の受信局毎の電圧利得を示す図である。
【００３３】
従来のフロント同調回路１０は、図３（Ａ）に示すように、受信局１の信号を受信した場合のフロント同調回路１０の電圧利得と、受信局２の信号を受信した場合の電圧利得と、受信局３の信号を受信した場合の電圧利得はそれぞれ異なっている。つまり、受信局毎に受信感度が異なっている。
【００３４】
これに対して、実施の形態のフロント同調回路２１は、図３（Ｂ）に示すように、受信局１の信号を受信した場合のフロント同調回路２１の電圧利得と、受信局２の信号を受信した場合の電圧利得と、受信局３の信号を受信した場合の電圧利得はほぼ等しい。つまり、複数の受信局に対する受信感度がほぼ一定になっている。
【００３５】
上述した実施の形態によれば、ＡＧＣ制御をかけて減衰回路のインピーダンスを変化させて受信信号レベルを制御するときに、同調周波数のずれが生じないようにできる。また、従来の直列共振型のフロント同調回路１０に比べてキャパシタの数を１個減らすことができる。
【図面の簡単な説明】
【００３６】
【図１】実施の形態のフロント同調回路の回路図である。
【図２】図２（Ａ）、（Ｂ）は、従来のフロント同調回路と実施の形態のフロント同調回路の電圧利得を示す図である。
【図３】図３（Ａ）、（Ｂ）は、従来のフロント同調回路と実施の形態のフロント同調回路の受信局毎の電圧利得を示す図である。
【図４】従来のフロント同調回路の回路図である。
【符号の説明】
【００３７】
Ｌ１、Ｌ１１        インダクタ
Ｃ１〜Ｃ６、Ｃ１１、Ｃ１２    キャパシタ
Ｄ１、Ｄ２          ダイオード
Ｄ３，Ｄ４          可変容量ダイオード
Ｒ１                抵抗
Ｔ１                同調コイル
１１                アンテナ
１０，２１          フロント同調回路
２２                減衰回路
２３                同調回路
２４                差動増幅器
２５                ミキサー回路
２６                ＡＧＣ回路
【図１】
2008236419.tif 000003
【図４】
2008236419.tif 000004
【図２】
2008236419.tif 000005
【図３】
2008236419.tif 000006